(57)【要約】      （修正有）【課題】フェンス用柵体としての使用に好適な菱形金網の製作方法と、前記方法で製作したフェンス用菱形金網の取付け方法を提供する。【解決手段】既製品として製造された菱形金網１の上辺部又は下辺部の少なくとも一方について、縦向きに並べられ横方向に隣接する２本の線材の端部同士を結合した捻り結合部を解き放し、次に２本の線材が端部（捻り結合部）から数えて一つ目のそれぞれ両横隣の線材と絡まった部分を解き、しかる後に隣接する２本の線材の端部同士を再び捻って結合部４および菱形網目を再度形成し、その後２本の線材の端部から数えて二つ目に絡まっている部分をその絡み度を増す方向へ約９０度捻って菱形網目を金網面の方向に対しほぼ直角の向きに整列させる。フェンス用菱形金網の上辺部又は下辺部の金網面の方向に対しほぼ直角の向きに整列された菱形網目へ胴縁１１を共通に通し、その胴縁を支柱１２の上下に取り付け固定する。【選択図】図５
2005188211.tif 000002
【特許請求の範囲】
【請求項１】
フェンス用菱形金網の製作方法であって、
既製品として製造された菱形金網の上辺部又は下辺部の少なくとも一方について、縦向きに並べられ横方向に隣接する２本の線材の端部同士を結合した捻り結合部を解き放し、次に前記２本の線材が前記端部から数えて一つ目のそれぞれ両横隣の線材と絡まった部分を解き、しかる後に前記隣接する２本の線材の端部同士を再び捻って結合部及び菱形網目を再度形成し、その後当該２本の線材の前記端部から数えて二つ目に絡まっている部分をその絡み度を増す方向へ約９０度捻って前記菱形網目を金網面の方向に対しほぼ直角の向きに整列させることを特徴とする、フェンス用菱形金網の製作方法。
【請求項２】
前記縦向きに並べられ横方向に隣接する２本の線材の端部同士を再び捻って結合する際にツイストナックルを形成することを特徴とする、請求項１に記載したフェンス用菱形金網の製作方法。
【請求項３】
フェンス用菱形金網の取付け方法であって、
既製品として製造された菱形金網の上辺部又は下辺部の少なくとも一方について、縦向きに並べられ横方向に隣接する２本の線材の端部同士を結合した捻り結合部を解き放し、次に前記２本の線材が前記端部から数えて一つ目のそれぞれ両横隣の線材と絡まった部分を解き、しかる後に前記隣接する２本の線材の端部同士を再び捻って結合部及び菱形網目を再度形成し、その後当該２本の線材の前記端部から数えて二つ目に絡まっている部分をその絡み度を増す方向へ約９０度捻って前記菱形網目を金網面の方向に対しほぼ直角の向きに整列させる段階と、
前記フェンス用菱形金網の上辺部又は下辺部の前記金網面の方向に対しほぼ直角の向きに整列された菱形網目へ胴縁を共通に通し、その胴縁を支柱の上下に取り付け固定する段階とからなることを特徴とする、フェンス用菱形金網の取付け方法。
【請求項４】
前記金網面の方向に対しほぼ直角の向きに整列された菱形の網目へ通す胴縁は、丸パイプ又は角パイプであることを特徴とする、請求項３に記載したフェンス用菱形金網の取付け方法。
【発明の詳細な説明】
【技術分野】
【０００１】
この発明は、フェンスの柵体に使用する菱形金網の技術分野に属し、更に言えば、フェンス用柵体としての使用に好適な菱形金網の製作方法と、前記方法で製作したフェンス用菱形金網の取付け方法に関する。
【背景技術】
【０００２】
従来、菱形金網を柵体に使用したフェンスは種々の構造形式が公知であり、広く実施もされている。例えば図８、９に例示した既往のフェンスは、支柱１２、１２の上下に水平方向の胴縁１１、１１が架設され、この胴縁１１、１１に対して、柵体である菱形金網１の上下の縁辺に骨線１９を通し、前記骨線１９を複数の吊り金具２０…により胴縁１１へ取り付けた構成である。
次に、下記の特許文献１には、胴縁を使用せず、菱形金網の上下の縁辺及び中間位置にそれぞれ水平方向に通した骨線を直接支柱へ取り付け固定した構成が開示されている。
【０００３】
特許文献２には、菱形金網の上下の縁辺に沿い、菱形金網の網厚を利用してその中へ断面が細長い板状の胴縁（平鉄）を通して支持させる構成が開示されている。
特許文献３には、菱形金網の上下の縁辺に、侵入防止効果を高める目的でツイストナックルを立てた構成が開示されている。特許文献２の菱形金網にも、上下の縁辺に侵入防止効果を高めるツイストナックルを立てた構成が開示されている。
【０００４】
【特許文献１】特開平１０−１９３０２１号公報
【特許文献２】実開昭５４−１５８４５０号公報
【特許文献３】実開昭５５−１１６７３７号公報
【発明の開示】
【発明が解決しようとする課題】
【０００５】
図８、９に例示した既往のフェンスは、菱形金網１の上下の縁辺に通した骨線１９を吊り金具２０により胴縁１１へ取り付ける構成であるため、吊り金具２０のボルト２１、ナット２２を緩めて外し、骨線１９を押し上げると、胴縁１１との間に人が侵入できる隙間を開けられる。侵入後に再び吊り金具２０を取り付けると、侵入の形跡は残らない。
【０００６】
上記特許文献１のように菱形金網の上下の縁辺及び中間位置にそれぞれ水平方向に通した骨線を直接支柱へ取り付け固定する構成の場合は、取り付け作業の施工性がかなり向上する。しかし、骨線は本質的に剛性が低く、上述したように侵入者が強引に持ち上げると、地面との間に人が潜り込む程度の隙間を開けることが比較的容易であり、侵入防止の効果に乏しい。また、形状の復元性があり、侵入の形跡を残さないという欠陥がある。
【０００７】
上記特許文献２のように、菱形金網の上下の縁辺に沿い、菱形金網の網厚を利用してその中へ断面が細長い板状の胴縁（平鉄）を通して支持させる構成の場合、平鉄は、上記特許文献１の骨線よりは遙かに強度、剛性が大きいが、それでも菱形金網の網厚を利用してその中へ通すことが可能な平鉄の断面形状の大きさには限界がある。前記限界の平鉄では侵入者が強引に持ち上げて地面との間に人が潜り込む程度の隙間を開けることは比較的容易であり、侵入防止の効果は未だ完全ということはできない。
【０００８】
特許文献３のように、菱形金網の上下の縁辺にツイストナックルを立てた構成は、侵入防止の効果を高める意義は認められる。しかし、ツイストナックルはあくまでも侵入防止フェンスの補助的構成でしかないのである。
【０００９】
本発明の目的は、図８、９に例示した既往フェンスの吊り金具２０や骨線１９を一切使用せず、強度、剛性が充分大きい丸パイプ、角パイプ等による胴縁を使用して堅固な構造で、且つ進入防止効果が大きい構成で施工性良く取り付けることが出来る、フェンス用菱形金網の製作方法及び同フェンス用菱形金網の取付け方法を提供することである。
【課題を解決するための手段】
【００１０】
上記従来技術の課題を解決するための手段として、請求項１記載の発明に係るフェンス用菱形金網の製作方法は、
既製品として製造された菱形金網１の上辺部又は下辺部の少なくとも一方について、縦向きに並べられ横方向に隣接する２本の線材ａ、ｂの端部同士を結合した捻り結合部２を解き放し、次に前記２本の線材ａ、ｂが前記端部（捻り結合部２）から数えて一つ目のそれぞれ両横隣の線材ｂ、ａと絡まった部分３を解き、しかる後に前記隣接する２本の線材ａ、ｂの端部同士を再び捻って結合部４および菱形網目７を再度形成し、その後当該２本の線材ａ、ｂの前記端部から数えて二つ目に絡まっている部分５をその絡み度を増す方向へ約９０度捻って前記菱形網目７を金網面の方向に対しほぼ直角の向きに整列させることを特徴とする。
【００１１】
請求項２に記載した発明は、請求項１に記載したフェンス用菱形金網の製作方法において、
縦向きに並べられ横方向に隣接する２本の線材ａ、ｂの端部同士を再び捻って結合部４および菱形網目７を形成する際にツイストナックル４’を形成することを特徴とする。
【００１２】
請求項３に記載した発明に係るフェンス用菱形金網の取付け方法は、
既製品として製造された菱形金網１の上辺部又は下辺部の少なくとも一方について、縦向きに並べられ横方向に隣接する２本の線材ａ、ｂの端部同士を結合した捻り結合部２を解き放し、次に前記２本の線材ａ、ｂの前記端部（捻り結合部２）から数えて一つ目のそれぞれ両横隣の線材ｂ、ａと絡まった部分３を解き、しかる後に前記隣接する２本の線材ａ、ｂの端部同士を再び捻って結合部４および菱形網目７を再度形成し、その後当該２本の線材ａ、ｂの前記端部から数えて二つ目に絡まっている部分５をその絡み度を増す方向へ約９０度捻って菱形網目７を金網面の方向に対しほぼ直角の向きに整列させる段階と、
前記フェンス用菱形金網１の上辺部又は下辺部の前記金網面の方向に対しほぼ直角の向きに整列された各菱形網目７…へ胴縁１１を共通に通し、その胴縁１１を支柱１２の上下に取り付け固定する段階とからなることを特徴とする。
【００１３】
請求項４に記載した発明は、請求項３に記載したフェンス用菱形金網の取付け方法において、
金網面の方向に対しほぼ直角の向きに整列された菱形網目７へ通す胴縁１１は、丸パイプ又は角パイプであることを特徴とする。
【発明の効果】
【００１４】
請求項１、２に記載した発明に係るフェンス用菱形金網の製作方法によれば、既製品として製造された菱形金網１の上辺部又は下辺部の少なくとも一方について、隣接する２本の線材ａ、ｂを１単位として、その端部の捻り結合部２を解き、更に同端部（捻り結合部２）から数えて一つ目の絡み部分３を解き、再び前記２本の線材ａ、ｂの端部を捻って結合部４および菱形網目７を形成し、その後当該２本の線材ａ、ｂの前記端部から数えて二つ目の絡み部分５の絡み度を増す方向へ約９０度捻って菱形網目７を金網面に対しほぼ直角の向きに整列させる簡易な手順と工程で能率良く、上辺部又は下辺部の複数の菱形網目７…が一列のトンネル状に形成される。
【００１５】
従って、請求項３、４に記載した発明に係るフェンス用菱形金網の取付け方法のように、前記一列をなす菱形網目７…が一連のトンネル状をなす中へ、同菱形網目７に通る大きさの丸パイプ又は角パイプの如き胴縁１１を共通に通し、該胴縁１１をフェンスの支柱１２へ取付け固定する簡単な手順と工程で能率良く、フェンスの構築作業を進めることができる。
【００１６】
とりわけ、菱形網目７の内法寸法にほぼ内接する大きさの丸パイプ又は角パイプの如き胴縁１１を使用することにより、要するに強度、剛性が必要十分に大きいフェンスを構築できるので、特許文献１に開示された骨線、或いは特許文献２に開示された平鉄による胴縁を使用して構築されるフェンスに比較すると、侵入者が胴縁１１を持ち上げて地面１８との間に隙間をあけて潜り込むことは決して許さず、侵入防止効果が大きいフェンスの構築に寄与する。
また、菱形網目７に内接する大きさの角パイプを胴縁１１に使用した場合には、例え下側の胴縁１１を底辺とする矩形状（図５の符号１３を参照）に菱形金網１を切断し、侵入するために、前記切断された矩形状の菱形金網を内外方向へ押し倒そうとしても、角パイプ１１の両端が支柱１２へ固定されている限り、この角パイプ１１が切断された菱形金網の回転に強固に抵抗する。よって、無理矢理に孔が開くほどに押し曲げ変形させて侵入ができたとしても一旦押し曲げられた金網を元通りに復元することは困難であり、それが痕跡として残り、侵入の早期発見につながるので、侵入防止の効果が大きいのである。
その上、菱形金網１の上辺部又は下辺部にツイストナックル４’を形成すると、棘の効果で侵入者の手掛かりを防ぎ、侵入阻止の効果が一層高められるのである。
【実施例１】
【００１７】
次に、先ず請求項１、２に記載した発明に係るフェンス用菱形金網の製作方法の実施例を説明する。
図１は、既製品として製造された菱形金網１の上辺部を示している。菱形金網１は、通例外径が５mm程度の鉄鋼線材を使用し、一つの網目の大きさを通例は一辺が５０mm程度のの菱形に編み込まれている。その編み方としては、縦向きに並べられて横方向に隣接する２本の線材ａとｂを基本の１単位とし、左右両横隣の線材ｂ又はａとそれぞれ相互に約９０度程度まで屈曲して絡み合わせ編まれている。そして、上辺部（及び下辺部）に、２本の線材ａとｂの端部同士を捻り合わせた捻り結合部２が形成されている。
【００１８】
本発明に係る製作方法の第１工程としては、上記のように端部同士を捻って結合された捻り結合部２を捻り戻し、図２のように解き放つことに始まる。次いで、前記２本の線材ａとｂが前記捻り結合部２として形成された図１の上端部から数えて一つ目のそれぞれ両横隣の線材ｂおよびａと絡まった部分３を解き放し、図２に示す解放状態にする。
【００１９】
しかる後に、上記の隣接する２本の線材ａとｂの端部同士を再び捻って結合部４を形成し、図３のように隣接する線材との絡みを分離独立させた菱形網目７を形成する。その後、当該２本の線材ａとｂが上記図１の捻り結合部２から数えて二つ目に絡まっている部分５を中心に、その絡み度を増す方向へ約９０度捻って、各菱形網目７…をそれぞれ金網面の方向に対しほぼ直角の向きに整列させる（図４参照）。
その結果、図６Ａ、Ｂに示すように、金網面の方向に一列をなす菱形網目７…が一連のトンネル状に形成される。なお、以上には金網製作機の図示を省略したが、当然、全ての工程は金網製作機を使用していわゆる既往の菱形金網を製造する工程の中で本発明の方法を自動的、連続的に実施する。
【００２０】
請求項３、４に記載した発明のように、前記フェンス用菱形金網１の上辺部又は（及び）下辺部の前記金網面の方向に対しほぼ直角の向きに整列された菱形網目７…へ胴縁１１を共通に通し、この胴縁１１を図５のように支柱１２、１２の上下に取り付け固定する手順により、図５に示す侵入防止用フェンスを少ない手数で簡単に能率良く剛強に構築することができる。図５中の符号１９は骨線を示す。
上記胴縁１１としては、金網面の方向に対しほぼ直角の向きに整列された菱形網目７の中へ通すことができる大きさであれば、強度、剛性が大きい丸パイプ又は角パイプの何れでも使用することができ、侵入防止用として堅固なフェンスの構築に寄与する（請求項４記載の発明）。
【００２１】
もっとも、胴縁１１として、図６Ｂのように菱形網目７の内法寸法にほぼ内接する大きさの角パイプを使用すると、例えば図５中に点線１３で図示したように下側の胴縁（各パイプ１１）を底辺とする矩形状に菱形金網１を切断し、切断された矩形状の菱形金網部分を内外方向へ押し倒そうとしても、角パイプ１１の両端が支柱１２、１２に強固に固定されている限り、この角パイプ１１が切断された菱形金網部分の回転に強固に抵抗するので、侵入防止の効果が大きい。仮に無理矢理に人が通れるほどの孔が開くほど押し曲げ変形させてしまうと、侵入後に再び原形に復元しようとしても到底不可能であり、いわゆる痕跡を残して早期に発見できることとなり、やはり侵入阻止の効果が大きいのである。
【００２２】
ちなみに、上記のように金網面の方向に対しほぼ直角の向きに整列された菱形網目７…の中へ通した胴縁１１は、一例として図７に示したように胴縁（角パイプ）１１の両側面を挟む一対の挟み金具１６ａと１６ｂから成るブラケット１６を備えたボルト１４を、予め支柱１２に設けたボルト孔１５へ外側から内側方向へ通しナット１７で締結する構造で支柱１２へ簡単に、強固に取り付け固定することができる。図７の構造によれば、ナット１７は菱形金網１の内側に位置して外からは手が届かないので、侵入防止に極めて有効的である。
【００２３】
なお、上記段落番号［００１９］で説明したように、菱形金網の製作方法の過程として、隣接する２本の線材ａとｂの端部同士を再び捻って結合部４を形成する段階で、先端が棘のように二股に分かれたツイストナックル４に形成することができる（請求項２記載の発明）。かくすると、図６で明らかなように、地面１８との隙間を塞いでイタチやネズミ、狐、狸のような小動物の侵入を防ぐ効果があるほか、棘の効果で侵入者の手掛かりを防ぎ、侵入阻止の効果が一層高められるのである。
【図面の簡単な説明】
【００２４】
【図１】本発明に係るフェンス用菱形金網の製作方法に使用する既製品としての菱形金網を示した正面図である。
【図２】本発明に係るフェンス用菱形金網の製作方法の第１、２段階として隣接する線材との捻り結合部及び一つ目の絡み部を解いた状態を示した正面図である。
【図３】２本の線材の端部同士を再び捻って結合した状態を示す正面図である。
【図４】菱形網目を約９０度捻った状態を示す正面図である。
【図５】本発明の方法により構築したフェンスの立面図である。
【図６】Ａ、Ｂは上記のように捻った菱形網目に下側の胴縁を通した状態の正面図と側面図である。
【図７】胴縁を支柱へ取り付ける構造の一例を拡大して示した側面図である。
【図８】既往のフェンスの例を示した立面図である。
【図９】胴縁による菱形金網の取り付け状態を拡大して示す正面図である。
【符号の説明】
【００２５】
１      菱形金網  
ａ、ｂ  線材
２      捻り結合部
３      一つ目の絡み部分
４      結合部（ツイストナックル）
７      菱形網目
５      二つ目の絡み部分
１１    胴縁（角パイプ）
１２    支柱
【図１】
2005188211.tif 000003
【図２】
2005188211.tif 000004
【図３】
2005188211.tif 000005
【図４】
2005188211.tif 000006
【図５】
2005188211.tif 000007
【図６】
2005188211.tif 000008
【図７】
2005188211.tif 000009
【図８】
2005188211.tif 000010
【図９】
2005188211.tif 000011